(57)【要約】      （修正有）【課題】砂等の混入を防止し、河川や湖沼の水を直接に消・融雪水として用いることができる消・融雪装置を提供する。【解決手段】河川又は湖沼に取水装置３を定置し、この取水装置３に取水口を有する供給部が連係され、取水口から吸水ポンプを介して消・融雪パイプに連結する。取水装置３には、ろ過部を形成して装置内への水の浸透を促す。ろ過部は、空間を設けた内外の二重管３２Ａで構成し、内・外管３２Ａには導入孔３４Ａが形成し、内管３２Ａの外周にはスペーサー３５を介して内管３２Ａの外壁面と共に線体同士にも間隙を設けて線体３６を巻着し、内・外管３２Ａの空間にはグラベルを充填して構成する。【選択図】図３
0003157024.tif 000002
【実用新案登録請求の範囲】
【請求項１】
河川又は湖沼の底に取水装置を定置し、この取水装置に給水口を有する供給部を連係し、給水口から吸水ポンプを介して消・融雪パイプに連結し、前記取水装置にはろ過部が形成され、このろ過部を通して河川水又は湖沼水を導入して消・融雪パイプへ河川水又は湖沼水を消・融雪用水として供給することを特徴とする河川又は湖沼の水を利用した消・融雪装置。
【請求項２】
取水装置のろ過部は、管体であって、周壁に導入孔が形成され、外周にはスペーサーを介して管の外壁面と共に線体同士にも間隙を設けて線体を巻着して成ることを特徴とする請求項１記載の河川又は湖沼の水を利用した消・融雪装置。
【請求項３】
取水装置のろ過部は、空間を設けた内外の二重管で構成し、内・外管には導入孔が形成され、内管の外周にはスペーサーを介して内管の外壁面と共に線体同士にも間隙を設けて線体を巻着し、内・外管の空間にはグラベルを充填して成ることを特徴とする請求項１記載の河川又は湖沼の水を利用した消・融雪装置。
【請求項４】
取水装置のろ過部は、空間を設けた内外の二重管で構成し、内・外管には導入孔が形成されると共に、外周にはスペーサーを介して外壁面と共に線体同士にも間隙を設けて線体を巻着し、内・外管の空間にはグラベルを充填して成ることを特徴とする請求項１記載の河川又は湖沼の水を利用した消・融雪装置。
【請求項５】
線体の断面形状が、内管側が細いテーパー状の側面であることを特徴とする請求項２乃至４のいずれかに記載の河川又は湖沼の水を利用した消・融雪装置。
【請求項６】
取水装置を河川又は湖沼の底に形成した凹部に定置又は埋設したことを特徴とする請求項１乃至５のいずれかに記載の河川又は湖沼の水を利用した消・融雪装置。
【請求項７】
取水装置を河川又は湖沼に設けた迂回水路に定置したことを特徴とする請求項１乃至６のいずれかに記載の河川又は湖沼の水を利用した消・融雪装置。
【考案の詳細な説明】
【技術分野】
【０００１】
本考案は消・融雪のための消・融雪用の水に河川や湖沼の水を利用した消・融雪装置に関するものである。  
【背景技術】
【０００２】
道路に沿って消・融雪パイプを施設し、適宜間隔で噴射ノズルを設けた消・融雪装置があり、消・融雪パイプに水を供給して噴射ノズルから散水して道路上の雪を融かして除雪を行うものである。
そして、散水する消・融雪水は地下水を汲み上げて消・融雪パイプに供給するものが多く見られ、中には河川や湖沼の水を利用するものもある。
【０００３】
地下水を利用する場合は井戸を掘って消・融雪水を汲み上げる必要があり、設備投資が嵩む問題があり、また、地下水の過剰揚水による地盤沈下や地下水の枯渇等の環境破壊の問題も生じている。
したがって、近くに河川や湖沼があるのであれば、その水を利用することが合理的であり、利用した消・融雪水を河川や湖沼に戻してやれば水資源の問題は生じないと考えられる。
【先行技術文献】
【特許文献】
【０００４】
【特許文献１】特開昭６１−２２５４０３号
【特許文献２】特開平１０−２２７０５６号
【特許文献３】特開平０４−０４４５７７号
【考案の概要】
【考案が解決しようとする課題】
【０００５】
河川や湖沼の水を消・融雪用の水に利用する場合、河川や湖沼の水に含まれている砂や塵埃を除去した水とする必要がある。
これらの砂等で吸水ポンプや散水ノズルに障碍が発生するためである。
【０００６】
また、河川や湖沼の水を直接消・融雪水とせず、一旦貯水層等に貯留したり、除去の為の設備を施して塵芥等を除去して消・融雪水に用いることも考えられるけれど、貯水スペースや設備費が嵩み、出来れば河川や湖沼の水を直接消・融雪水に用いることが望まれる。
【０００７】
そこで、本考案は、砂等の混入を防止し、河川や湖沼の水を直接に消・融雪水として用いることができる消・融雪装置を提供せんとするものである。
【課題を解決するための手段】
【０００８】
本考案に係る河川又は湖沼の水を利用した消・融雪装置は、河川又は湖沼の底に取水装置を定置し、この取水装置に給水口を有する供給部を連係し、給水口から吸水ポンプを介して消・融雪パイプに連結し、前記取水装置にはろ過部が形成され、このろ過部を通して河川水又は湖沼水を導入して消・融雪パイプへ河川水又は湖沼水を消・融雪用水として供給することを特徴とするものである。
【０００９】
そして、請求項２の河川又は湖沼の水を利用した消・融雪装置は、取水装置のろ過部は、管体であって、周壁に導入孔が形成され、外周にはスペーサーを介して管の外壁面と共に線体同士にも間隙を設けて線体を巻着して成るものである。
【００１０】
また、請求項３の河川又は湖沼の水を利用した消・融雪装置は、取水装置のろ過部は、空間を設けた内外の二重管で構成し、内・外管には導入孔が形成され、内管の外周にはスペーサーを介して内管の外壁面と共に線体同士にも間隙を設けて線体を巻着し、内・外管の空間にはグラベルを充填して成るものとしてもよい。
【００１１】
また、請求項４の河川又は湖沼の水を利用した消・融雪装置は、取水装置のろ過部は、空間を設けた内外の二重管で構成し、内・外管には導入孔が形成されると共に、外周にはスペーサーを介して外壁面と共に線体同士にも間隙を設けて線体を巻着し、内・外管の空間にはグラベルを充填して成るものとしてもよい。
【００１２】
そして、請求項５の河川又は湖沼の水を利用した消・融雪装置は、請求項２乃至４において、線体の断面形状が、内管側が細いテーパー状の側面としてもよく、更に、請求項６の河川又は湖沼の水を利用した消・融雪装置は、請求項１乃至５において、取水装置を河川又は湖沼の底に形成した凹部に定置又は埋設すること、或いは、請求項７の河川又は湖沼の水を利用した消・融雪装置は、請求項１乃至６において、河川又は湖沼に設けた迂回水路に定置するものとしてもよい。
【考案の効果】
【００１３】
本考案は消・融雪パイプへ河川水又は湖沼水を消・融雪用水として供給するものであるから、河川又は湖沼から供給水を供給できる地域であれば、経済的効果が大きく、供給水の量も充分に確保できる効果がある。
取水装置のろ過部を通して消・融雪水を導入するため直接的に必要に応じた水量の供給で足り簡易小規模の設備で稼動できる効果を発揮する。
【００１４】
また、請求項２の取水装置のろ過部は、管には導入孔が形成され、内管の外周にはスペーサーを介して内管の外壁と共に線体同士にも間隙を設けて線体を巻着したため、線体の間隙と管の導入孔をと通過する間に砂や塵埃等は排除され、水のみゆっくりと浸透し、河川や湖沼の水を消・融雪パイプへ供給できる効果を得られる。
【００１５】
また、請求項３の取水装置のろ過部は、空間を設けた内外の二重管で構成し、内・外管には導入孔が形成され、内管の外周にはスペーサーを介して内管の外壁と共に線体同士にも間隙を設けて線体を巻着し、内・外管の空間にはグラベルを充填して成るものであるから、外管の導入孔、グラベル、線体同士の間隙及び内管の導入孔を通過する間に砂や塵埃等は排除され、水のみゆっくりと浸透し、河川や湖沼の水を消・融雪パイプへ供給できる効果を得られる。
【００１６】
そして、グラベルの通過時や、内管の外壁と線体との間隙空間によって流水の流入速度を失速させ、砂等を吸引するような作用を阻止し水のみゆっくりと浸透する効果がある。
【００１７】
また、請求項４の取水装置のろ過部は、取水装置のろ過部は、空間を設けた内外の二重管で構成し、内・外管には導入孔が形成されると共に、外周にはスペーサーを介して外壁面と共に線体同士にも間隙を設けて線体を巻着し、内・外管の空間にはグラベルを充填して成るものとしたため、更なるろ過作用が期待され、砂や塵埃等は排除され、水のみゆっくりと浸透し、河川や湖沼の水を消・融雪パイプへ供給できる効果を得られる。
【００１８】
そして、管の外壁と線体との間隙空間によって流水の流入速度を失速させ、砂等を吸引するような作用を阻止し水のみゆっくりと浸透する効果があり、線体の断面形状が、内管側が細いテーパー状の側面とすることで、流入する空間が広がるため吸引効果と共に流入後の失速効果を得られるものとなる。
【００１９】
そして、取水装置を河川又は湖沼の底に形成した凹部に定置することで、流水による取水装置が受ける水圧を緩和し定置効果を高められ、埋設したものとしても土砂等を浸透してくる水を導入用のろ過部から確保できるものであり、取水装置を河川又は湖沼に設けた迂回水路に定置することで、流水等による取水装置への影響を回避できる効果を有する。
【図面の簡単な説明】
【００２０】
【図１】本考案の概略図である。
【図２】本考案の一実施の形態を示す要部正面図である。
【図３】ろ過部の一部切り欠いた正面図である。
【図４】他のろ過部の一部切り欠いた正面図である。
【考案を実施するための形態】
【００２１】
本考案を実施するための一実施の形態を図面に基づいて説明する。
図１は本考案の一実施の形態を示す概略図であり、河川又は湖沼１の底２に取水装置３を定置し、この取水装置３に取水口５を有する供給部４が連係され、取水口５から吸水ポンプ６を介して消・融雪パイプ７に連結している。
【００２２】
取水口５は河川又は湖沼１の水中から離隔された場所に供給部４によって延設され、供給部４の端部近傍の上面に直接開口部或いは開口立ち上がり部を設けて形成する。
図面では河川１の堤防を越えた道路脇に設置してあり、増水により水没する危険のない場所を選択し、且つ消・融雪パイプを埋設する道路とも関連する場所を選定することになる。
また、供給部４は地上に露出した状態で配設したものとしても良い。
【００２３】
吸水ポンプ６は吸水パイプ８の先端の設け、取水口５から供給部４へ垂下投入して供給部４内の水を直接吸引して消・融雪パイプ７へ導いている。
また、吸水パイプ８を取水口５から供給部４に垂下投入して供給部４内の水を吸水ポンプ６で吸引し、吸水ポンプ６を通して消・融雪パイプ７へ導いてもよい。
【００２４】
取水装置３は、流れや波によって移動や浮遊しないように、河川又は湖沼１の底２に定置した台９に固定手段１０で固定して置くのが望ましい。
川の流れの影響の比較的弱い岸付近や、淀みを選んでもよく、或いは川岸の一部を拡幅して形成した入り江状部を取水箇所として定置することもできる。
また、底２に凹部１１を形成し、この凹部１１内に定置したり、底に埋設してしまって水の動きによる影響を回避するのもよい。
さらに、河川又は湖沼に迂回水路を形成し、この迂回水路内に取水装置３を定置すれば更なる流れや波による影響を回避でき、消・融雪の必要時期だけ迂回水路に水を流すようにすれば、取水装置のメンテナンスに寄与することになる。
【００２５】
また、取水装置には、ろ過部３０を形成して装置内への水の浸透を促すと共に、水中の砂や塵埃を除去した水のみを取水する作用を期している。
ろ過部３０の一例を示す図３に於いて、管体である管３２Ａの周壁に導入孔３４Ａが形成されている。
管３２Ａは円筒形で、導入孔３４Ａは長円で形成してあるが他の形状であっても構わない。
【００２６】
管３２Ａの外周にはスペーサー３５を介して線体３６を巻着し、内管３２Ａの外周と間隙を形成すると共に、線体３６同士にも微間隙を設けて巻着してある。
スペーサー３５は枕線を管長手方向に等角度で複数本配置して構成し、その上に線体３６を巻着してある。
スペーサー３５の枕線は、内管３２Ａとの間隙の設定層に応じた径のものを選択する。
【００２７】
また、線体３６の断面形状は円形であっても良いが、内管３２Ａ側のスペーサー３５に接する内側面が外側面より細いテーパー状の側面を有する逆台形状とすれば、線体３６同士の微間隙が内部に向って拡がって行くようになり、吸引作用と共に流入後の失速作用を奏するものとなる。
スペーサー３５の枕線や線体３６には公知の防錆等の耐食処理が施されると共に、交叉部分を適宜溶接し、枕線は内管３２Ａにも適当箇所を溶接等で固定されている。
【００２８】
図４は他のろ過部３０を示すもので、空間を設けた内外の二重管である内・外管３２Ａ、３２Ｂを有し、内・外管３２Ａ、３２Ｂの周壁には導入孔３４Ａ、３４Ｂが形成してあり、    内・外管３２Ａ、３２Ｂの空間にはグラベル３３が充填されている。
また、内管３２Ａは前記図３と同様の管体であり、外周にはスペーサー３５を介して線体３６を巻着し、内管３２Ａとに間隙を形成すると共に、線体３６同士にも微間隙を設けて巻着してある。
【００２９】
また、ろ過部の外管３２Ｂは円筒形で、導入孔３４Ｂは長円で形成してあるが他の形状であっても構わない。
内・外管３２Ａ、３２Ｂ間の空間に充填するグラベル３３は外管３２Ｂの導入孔３４Ａから通り抜け出ない大きさの粒を充填するものであり、内管３２Ａに当着した外管固定金具１２、１２で外管３２Ｂを挟持している。
一方の外管固定金具１２で外管３２Ｂを仮着しておいてグラベル３３を投入し、充填した後に他方の外管固定金具１２を当着すればよい（図２）。
【００３０】
更に、図面では省略されているけれど、ろ過部３０を、空間を設けた内外の二重管で構成した内・外管に、周壁に導入孔３４Ａが形成し、外周にはスペーサー３５を介して線体３６を巻着し、内管３２Ａとの間に間隙を形成すると共に、線体３６同士にも微間隙を設けて巻着した管３２Ａを用いると共に、内・外管３２Ａ、３２Ａの空間にグラベル３３を充填したものとしてもよい。
【００３１】
ろ過部３０を浸透した水は管３２Ａ内に充満し、管３２Ａと連結した供給部４により消・融雪水として供給される。
管３２Ａと連結した供給部４は互いの端部に形成したフランジを、漏水防止のためのパッキン等を介在して突合して連結して行き、先端部の取水口５から吸水ポンプ６を介して消・融雪パイプ７に消・融雪水を供給する。
管３２Ａの他端は、遮蔽板を当てて閉塞されている。
【産業上の利用可能性】
【００３２】
この様に、本考案の河川又は湖沼の水を利用した消・融雪装置は、消・融雪水を従来のように地下水を利用するものでなく、河川や湖沼の水を利用するものであるから、井戸掘削の為の費用や、掘削時に生じる汚泥等の産業廃棄物処理を要せず、地下水位の低下による問題が回避され、工事期間の短縮や設備費用の低廉化が期待され、使用時期は水利用の少ない冬季であって、使用した消・融雪水を取水した河川又は湖沼へ戻せば環境等の問題は生じない。
【００３３】
また、河川又は湖沼の水を利用する場合の砂や塵埃の除去の問題も本考案で解決されるため、吸水する河川又は湖沼の水源となる河川又は湖沼に沿う道路や近くのエリアは勿論、供給可能なエリアの消・融雪を目的とする消・融雪設置には好適なものである。
【符号の説明】
【００３４】
１              河川又は湖沼
２              底
３              取水装置
４              供給部
５              取水口
６              吸水ポンプ
７              消・融雪パイプ
８              吸水パイプ
１１            凹部
３０            ろ過部
３２Ａ          管（内管）
３２Ｂ          外管
３３            グラベル
３４Ａ、３４Ｂ  導入孔
３５            スペーサー
３６            線体
【図１】
0003157024.tif 000003
【図２】
0003157024.tif 000004
【図３】
0003157024.tif 000005
【図４】
0003157024.tif 000006